【手続補正書】
【提出日】平成20年10月28日(2008.10.28)
【手続補正１】
【補正対象書類名】特許請求の範囲
【補正対象項目名】全文
【補正方法】変更
【補正の内容】
【特許請求の範囲】
【請求項１】
ハウジングと、
該ハウジングに設けられたモータと、
該ハウジングに取り付けられて打込側位置に釘を供給するマガジンと、
該ハウジングに回転可能に支持され、該モータに駆動されて回転するフライホイールと、
該ハウジングに回転可能に設けられた従動回転軸と、
該従動回転軸によって駆動される駆動子とを備えた打込機において、
該フライホイールの回転力を該従動回転軸に伝達可能なコイルスプリングと、
該フライホイールと該従動回転軸とを該コイルスプリングを介して選択的に連結可能なクラッチ機構とを備え、
該クラッチ機構は、ソレノイド駆動部を有するソレノイドと、ラチェット機構とを備え、
該ラチェット機構は、該フライホイールと該従動回転軸とが連結された後に該従動回転軸が所定回転位置へ回転したときであって該ソレノイドが電気的にＯＮ状態のときに、該ソレノイド駆動部を強制的にＯＦＦ位置に移動させて該フライホイールと該従動回転軸との連結を強制的に解除させる強制解除手段を有することを特徴とする打込機。
【請求項２】
該ラチェット機構は、該ソレノイド駆動部のＯＮ位置とＯＦＦ位置とを結ぶ方向へ該ソレノイド駆動部と一体で移動する切換伝達部を備え、
該強制解除手段は、該ハウジングに対して移動不能に設けられ該ソレノイド駆動部のＯＮ位置からＯＦＦ位置へと向かう方向へ突出する第１突出部と、該切換伝達部に設けられ該第１突出部に対向可能であり該ソレノイド駆動部のＯＦＦ位置からＯＮ位置へと向かう方向へ突出し該クラッチ機構が動力接続状態のときに該従動回転軸と一体回転する第２突出部とを備え、
該第１突出部の突出端と該第２突出部の突出端とは、該従動回転軸が所定の回転位置へ回転したときに互いに対向し該第１突出部に該第２突出部が乗り上げて該切換伝達部及び該ソレノイド駆動部をＯＦＦ位置へ後退させることを特徴とする請求項１記載の打込機。
【手続補正２】
【補正対象書類名】明細書
【補正対象項目名】００１１
【補正方法】変更
【補正の内容】
【００１１】
ここで、該ラチェット機構は、該ソレノイド駆動部のＯＮ位置とＯＦＦ位置とを結ぶ方向へ該ソレノイド駆動部と一体で移動する切換伝達部を備え、該強制解除手段は、該ハウジングに対して移動不能に設けられ該ソレノイド駆動部のＯＮ位置からＯＦＦ位置へと向かう方向へ突出する第１突出部と、該切換伝達部に設けられ該第１突出部に対向可能であり該ソレノイド駆動部のＯＦＦ位置からＯＮ位置へと向かう方向へ突出し該クラッチ機構が該動力接続状態のときに該従動回転軸と一体回転する第２突出部とを備え、該第１突出部の突出端と該第２突出部の突出端とは、該従動回転軸が所定の回転位置へ回転したときに互いに対向し該第１突出部に該第２突出部が乗り上げて該切換伝達部及び該ソレノイド駆動部をＯＦＦ位置へ後退させることが好ましい。
【手続補正３】
【補正対象書類名】明細書
【補正対象項目名】００２２
【補正方法】変更
【補正の内容】
【００２２】
図３に示されるように、第１壁２Ａにはモータ８が固定されており、モータ８はその回転軸８Ａ軸方向と駆動子１８の移動方向とが直交する方向になるように配置されている。また回転軸８Ａには、ギア８Ｂが同軸的に固定されており、回転軸８Ａ及びギア８Ｂは、図１において反時計回りに回転する。図３に示されるように第２壁２Ｂには、ベアリング１７Ａ、１７Ｃや後述の環状支持部材１２Ｅを介して従動回転軸１２が回転可能に支持されている。また、第３壁２Ｃには、従動回転軸１２の内外を連通するＬ字状の溝２ａが形成されている。
【手続補正４】
【補正対象書類名】明細書
【補正対象項目名】００２７
【補正方法】変更
【補正の内容】
【００２７】
駆動子戻りバネ１９は、後述のように駆動子１８が後端側から先端側へと移動するときに、従動駆動軸１２の回転軸を中心として従動駆動軸１２内部において巻かれる。従って、釘を打つことにより駆動子１８が先端側へ移動した後には、巻きつけられた駆動子戻りバネ１９が開放される付勢力によって駆動子１８を後端側へ引き戻すように付勢される。このことにより、釘を打った後に駆動子１８が先端側の位置に行ったままの状態となってしまうことを防止することができる。
【手続補正５】
【補正対象書類名】明細書
【補正対象項目名】００３６
【補正方法】変更
【補正の内容】
【００３６】
切換伝達部１４Ｂの一端寄りの部分には、図３、図４に示されるように環状当接部材１４Ｅが環装されている。環状当接部材１４Ｅは、切換伝達部１４Ｂと第３壁筒状部２Ｇとの間に配置されており、その外周面には直径方向に突出する一対の回止め突起部１４Ｆが設けられている。回止め突起部１４Ｆが第３壁筒状部２Ｇの内周面に設けられた図示せぬ凹部に当接することにより、環状当接部材１４Ｅは第３壁筒状部２Ｇに対して相対的に回転不能である。また、環状当接部材１４Ｅは大径部（フランジ部）と第３壁筒状部２Ｇの内周部の不図示の小径部とが当接し、更に止め輪２Ｈによって、その軸方向において第３壁筒状部２Ｇに対して移動不能に固定されている。環状当接部材１４Ｅの内周面は切換伝達部１４Ｂの外周面に当接しており、環状当接部材１４Ｅに対して切換伝達部１４Ｂを回転可能に支承している。
【手続補正６】
【補正対象書類名】明細書
【補正対象項目名】００４３
【補正方法】変更
【補正の内容】
【００４３】
傾斜面１５Ａ及び最深部１５Ｂと従動回転軸１２内部空間を画成する内周面との間には隙間１５ａが画成されている。隙間１５ａにおける最深部１５Ｂ表面から従動回転軸１２の内部空間を画成する内周面までの距離と、従動回転軸１２の孔１２ａ付近の肉厚との和は、ボール１６の直径と略等しくなるように最深部１５Ｂは構成されている。この付勢部１５とボール１６とソレノイド１３と前述のラチェット機構とからクラッチ機構が構成されている。ボール１６は、その一部が孔１２ａ内に常時収容されており、このため、ボール１６は、後述のソレノイド駆動部１４の伸縮方向及び従動回転軸１２の略周方向への移動を規制し、従動回転軸１２の半径方向への移動のみを許容する。
【手続補正７】
【補正対象書類名】明細書
【補正対象項目名】００４４
【補正方法】変更
【補正の内容】
【００４４】
より具体的には、ボール１６は、ソレノイド駆動部１４がＯＦＦ位置にあり縮んでいる状態で最深部１５Ｂ表面と当接しており、この状態ではボール１６の一部が孔１２ａから従動回転軸１２外周面より突出することはない。またソレノイド駆動部１４がＯＮ位置にあり伸長している状態では、図３に示されるように、ボール１６は傾斜面１５Ａと当接し、従動回転軸１２外周面よりボール１６の一部が突出する。このことによりボール１６が、クラッチリング１７の前述の略コの字状の部分に嵌合しクラッチリング１７に当接する状態となるように構成されている。
【手続補正８】
【補正対象書類名】明細書
【補正対象項目名】００４７
【補正方法】変更
【補正の内容】
【００４７】
従動回転軸１２は、その内部に従動回転軸内部筒部材１２Ｆを有している。従動回転軸内部筒部材１２Ｆは、従動回転軸１２の周面から従動回転軸１２の半径方向内方へ延出して設けられた筒部材支持部１２Ｇに固定されて支持されており、従動回転軸１２内部であって従動回転軸１２の孔１２ａよりも後述のフライホイール９寄りの部分に、従動回転軸１２と同軸的に配置されている。従動回転軸内部筒部材１２Ｆは、従動回転軸１２と一体で回転可能である。